【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
透明なバインダー樹脂に同バインダー樹脂とは屈折率の異なる微粒子を均一に分散させて成形される赤外線通信用光学物品であって、同微粒子に可視光域の光を散乱反射させて白色を発色させるようにするとともに、長波長側の光の透過率が高くなるような波長依存性を有するように微粒子の平均粒径を設定し、赤外線の通信帯の波長域における透過率を１２％以上に設定したことを特徴とする赤外線通信用光学物品。
【請求項２】
一部あるいは全部の前記微粒子の径Ｄを下記式で示される大きさとしたことを特徴とする請求項１に記載の赤外線通信用光学物品。
【数１】
2010072616.tif 000001
【請求項３】
一部あるいは全部の前記微粒子の径Ｄを下記式で示される大きさとしたことを特徴とする請求項１に記載の赤外線通信用光学物品。
【数２】
2010072616.tif 000002
【請求項４】
透明基材の外面を粗面処理することで微細凹凸形状を形成し白色の散乱層を同透明基材表面に形成させた赤外線通信用光学物品であって、長波長側の光の透過率が高くなるような波長依存性を有するように同散乱層の微細凹凸形状の平均凹凸径を設定し、赤外線の通信帯の波長域における透過率を１２％以上に設定したことを特徴とする赤外線通信用光学物品。
【請求項５】
一部あるいは全部の前記微細凹凸形状の径Ｄを下記式で示される大きさとしたことを特徴とする請求項４に記載の赤外線通信用光学物品。
【数３】
2010072616.tif 000003
【請求項６】
一部あるいは全部の前記微細凹凸形状の径Ｄを下記式で示される大きさとしたことを特徴とする請求項４に記載の赤外線通信用光学物品。
【数４】
2010072616.tif 000004
【請求項７】
前記バインダー樹脂あるいは前記透明基材中に、可視域の一部を吸収する色材を１種類以上含有させたことを特徴とする請求項１〜６のいずれかに記載の赤外線通信用光学物品。
【請求項８】
前記バインダー樹脂あるいは前記透明基材中に、赤外線を透過し、かつ可視域の一部を吸収する染料を含有させたことを特徴とする請求項１〜７のいずれかに記載の赤外線通信用光学物品。
【請求項９】
前記バインダー樹脂あるいは前記透明基材中に、紫外線吸収剤を含有させたことを特徴とする請求項１〜８のいずれかに記載の赤外線通信用光学物品。
【請求項１０】
少なくとも赤外線を透過する基体の外面又は内面に請求項１〜９のいずれかに記載の赤外線通信用光学物品を配置してなることを特徴とする赤外線通信用受光部。
【請求項１１】
前記基体は赤外線を透過するととともに可視光の透過が阻止されており、前記赤外線通信用光学物品は同基体の外面に配置されていることを特徴とする請求項１０に記載の赤外線通信用受光部。
【請求項１２】
前記基体は透明な素材から構成されており、同基体の内面に前記赤外線通信用光学物品を配置するとともに、同光学物品の機器内面側に赤外線を透過し、かつ可視光の透過を阻止する可視光吸収層を配置したことを特徴とする請求項１０に記載の赤外線通信用受光部。
【請求項１３】
前記基体は透明な素材から構成されており、同基体の外面に前記赤外線通信用光学物品を配置するとともに、同基体と同光学物品の間あるいは同基体の機器内面側に赤外線を透過し、かつ可視光の透過を阻止する可視光吸収層を配置したことを特徴とする請求項１０に記載の赤外線通信用受光部。
【請求項１４】
前記基体は透明な素材から構成されており、同基体の内面に前記赤外線通信用光学物品を配置するとともに、同光学物品の機器内面側に赤外線を透過し、かつ可視光の一部又は全部を前記赤外線通信用光学物品方向に反射する反射層を配置したことを特徴とする請求項１０に記載の赤外線通信用受光部。
【請求項１５】
前記基体は透明な素材から構成されており、同基体の外面に前記赤外線通信用光学物品を配置するとともに、同基体と同光学物品の間あるいは同基体の機器内面側に赤外線を透過し、かつ可視光の一部又は全部を前記赤外線通信用光学物品方向に反射する反射層を配置したことを特徴とする請求項１０に記載の赤外線通信用受光部。
【請求項１６】
請求項１〜９のいずれかの赤外線通信用光学物品の機器内面側に赤外線を透過し、かつ可視光の透過を阻止する可視光吸収層を配置したことを特徴とする赤外線通信用受光部。
【請求項１７】
請求項１〜９のいずれかの赤外線通信用光学物品の機器内面側に赤外線を透過し、かつ可視光の一部又は全部を反射する反射層を配置したことを特徴とする赤外線通信用受光部。
【請求項１８】
最外層位置に保護層を配置したことを特徴とする請求項１０〜１７のいずれかに記載の赤外線通信用受光部。
【手続補正２】
【補正対象書類名】明細書
【補正対象項目名】００１０
【補正方法】変更
【補正の内容】
【００１０】
また、請求項４に記載の発明では透明基材の外面を粗面処理することで微細凹凸形状を形成し白色の散乱層を同透明基材表面に形成させた赤外線通信用光学物品であって、長波長側の光の透過率が高くなるような波長依存性を有するように同散乱層の微細凹凸形状の平均凹凸径を設定し、赤外線の通信帯の波長域における透過率を１２％以上に設定したことをその要旨とする。
また、請求項５に記載の発明では請求項４に記載の発明において、一部あるいは全部の前記微細凹凸形状の径Ｄを上記数１で示される大きさとしたことをその要旨とする。
また、請求項６に記載の発明では請求項４に記載の発明において、一部あるいは全部の前記微細凹凸形状の径Ｄを上記数２で示される大きさとしたことをその要旨とする。
【手続補正３】
【補正対象書類名】明細書
【補正対象項目名】００３８
【補正方法】変更
【補正の内容】
【００３８】
＜実施例２＞
実施例１と同様に乱反射層用の溶液を調整し、固形分６．７〜１０％となるようトルエンにて濃度希釈し調整した。得られた溶液によって上記と同様の条件のスピンコート法によって塗膜としてのヘイズが４２の実施例２の受光部を得た。この実施例２の光学特性を図１１に示す。
＜実施例３＞
実施例１と同様に乱反射層用の溶液を調整し、固形分６．７〜１０％となるようトルエンにて濃度希釈し調整した。得られた溶液によって実施例２よりも若干多めの量を同様の条件のスピンコート法によって塗膜としてのヘイズが４３の実施例３の受光部を得た。この実施例３の光学特性を図１１に示す。
＜実施例４＞
実施例１と同様に乱反射層用の溶液を調整し、固形分８〜１２％となるようトルエンにて濃度希釈し調整した。得られた溶液によって実施例１と同様の条件のスピンコート法によって塗膜としてのヘイズが６３の実施例４の受光部を得た。この実施例４の光学特性を図１１に示す。
＜実施例５＞
実施例１と同様に乱反射層用の溶液を調整し、固形分８〜１３％となるようトルエンにて濃度希釈し調整した。得られた溶液によって実施例２よりも若干多めの量を同様の条件のスピンコート法によって塗膜としてのヘイズが６５の実施例５の受光部を得た。この実施例５の光学特性を図１１に示す。
＜実施例６＞
実施例１と同様に乱反射層用の溶液を調整し、固形分６．７〜１０％となるようトルエンにて濃度希釈し調整した。得られた溶液によって実施例５よりも若干多めの量を同様の条件のスピンコート法によって塗膜としてのヘイズが８２の実施例６の受光部を得た。この実施例６の光学特性を図１１に示す。
＜実施例７＞
実施例１と同様に乱反射層用の溶液を調整し、固形分６．７〜１０％となるようトルエンにて濃度希釈し調整した。得られた溶液によって実施例６よりも若干多めの量を同様の条件のスピンコート法によって塗膜としてのヘイズが９５以上の実施例７の受光部を得た。この実施例７の光学特性を図１１に示す。
＜比較例１＞
実施例１と同様に乱反射層用の溶液を調整し、固形分６．７〜１０％となるようトルエンにて濃度希釈し調整した。得られた溶液によって実施例６よりも若干多めの量を同様の条件のスピンコート法によって塗膜としてのヘイズが９５以上の実施例８の受光部を得た。この比較例１の光学特性を図１１に示す。